(57)【特許請求の範囲】
【請求項１】
放送を受信し、受信した放送に基づいて第１の映像データを生成する第１の受信部と、
外部機器において設定されている設定状態を示す情報であって、前記外部機器が出力している音声の種類を示す情報、若しくは前記外部機器が出力している画像に重畳している字幕の種類を示す情報である、設定情報を前記外部機器から受信する第２の受信部と、
録画指示を受け付けた場合、前記設定情報に基づいて、前記第１の映像データに含まれる複数の音声データのうち、一部の音声データを選択した第２の映像データ、若しくは前記第１の映像データに含まれる複数の字幕データのうち、一部の字幕データを選択した第３の映像データを生成し、生成した前記第２の映像データ若しくは前記第３の映像データを記憶媒体に記録する記録部と、を備える、
録画装置。
【請求項２】
放送を受信し、受信した放送に基づいて第１の映像データを生成し、
外部機器において設定されている設定状態を示す情報であって、前記外部機器が出力している音声の種類を示す情報、若しくは前記外部機器が出力している画像に重畳している字幕の種類を示す情報である、設定情報を前記外部機器から受信し、
録画指示を受け付けた場合、前記設定情報に基づいて、前記第１の映像データに含まれる複数の音声データのうち、一部の音声データを選択した第２の映像データ、若しくは前記第１の映像データに含まれる複数の字幕データのうち、一部の字幕データを選択した第３の映像データを生成し、生成した前記第２の映像データ若しくは前記第３の映像データを記憶媒体に記録する、
録画制御方法。
【請求項３】
放送を受信し、受信した放送に基づいて映像データを生成する受信部と、
自装置が映像データに含まれる複数の音声データのうち何れの音声データを出力するか、若しくは自装置が出力する画像データに映像データに含まれる複数の字幕データのうち何れの字幕データを重畳するか、について設定を受け付ける受付部と、
前記受信部が生成した映像データ、及び前記受付部が受け付けた設定に基づいて、画像及び音声を出力する出力部と、
録画指示を受け付けた場合、前記受付部が受け付けた設定を示す設定情報を外部機器に送信する送信部と、を備える、
視聴装置。
【発明の詳細な説明】
【技術分野】
【０００１】
本発明は、視聴している番組を録画する為のものである。
【背景技術】
【０００２】
一般にＴＶは、ＴＶ放送を受信し、視聴するだけでなく、ＶＴＲ（Ｖｉｄｅｏ  Ｔａｐａｇｅ  Ｒｅｃｏｒｄｅｒ）やＤＶＤレコーダのようなＤＶＲ（Ｄｉｇｉｔａｌ  Ｖｉｄｅｏ  Ｒｅｃｏｒｄｅｒ）を接続し、それらの機器で視聴している番組を録画することができる。そのため、ＴＶにはＴＶ放送を受信するためのアンテナ端子に加えて、一個もしくは複数個の外部入力端子が備えられていることが多く、また録画装置もＴＶ放送を受信し録画する為のアンテナ端子に加えて、一個もしくは複数個の外部入力端子が備えられていることが多い。そしてユーザは目的に応じて、これらの入力をリモコンや本体の入力切換釦などで切り換えることができるようになっている。
【０００３】
従来のＴＶとＤＶＲなどの装置との接続において、ＴＶなどの視聴装置を用いて番組を視聴している場合、視聴装置のリモコン、本体、及びＧＵＩなどにより操作一つで録画装置を自動的に立上げ視聴装置にて視聴している番組を簡単に録画することが可能となった。
【０００４】
その結果、視聴している視聴装置のリモコンから録画するための録画装置のリモコンに持ち替えて録画装置の電源を立上げ選局しなおす煩わしさを解決することができた。
【０００５】
なお、本発明に関連する先行技術として以下のものがある（例えば、特許文献１参照。）。
【特許文献１】特許第３６４７１５３号公報
【発明の開示】
【発明が解決しようとする課題】
【０００６】
解決しようとする問題点は、番組を視聴することができる視聴装置と番組を録画することができる録画装置との接続において、視聴装置で番組を視聴している時に番組を録画しようとした場合、ユーザは視聴装置のリモコン、本体、ＧＵＩなどの視聴している番組を録画する釦を押下もしくは項目を選択することにより録画装置の電源が自動的に立ち上がり、録画が開始されるが視聴装置で視聴していた番組の音声、字幕とは異なる音声、字幕が録画される問題が発生していた点である。
【課題を解決するための手段】
【０００７】
前記従来の課題を解決する為には、番組を視聴することができる視聴装置と番組を録画することができる録画装置において、それが１つもしくは複数の接続媒体を用いて接続されており、また、接続媒体を通してコマンドを視聴装置と録画装置との間で送受信するシステムにおいて、ユーザは視聴装置でアンテナから受信する放送信号の番組を視聴している状態において視聴装置のリモコンもしくは本体の釦を用いて、視聴している番組を録画する釦を押下すると、制御部は、受信した録画コマンドを判断し、録画コマンドが押下されたタイミングで電源起動コマンド、そして録画コマンド及び視聴している番組の選局／音声／字幕情報をコマンド入力Ｉ／Ｆへコマンドデータの転送を行う。
【０００８】
そして録画装置は電源がスタンバイ状態の場合、コマンド入出力Ｉ／Ｆよりコマンドデータを受信した場合、制御部はそれが電源起動コマンドと判断した場合、録画装置は制御部より録画機能に関係する全ての機能（データ処理部、アンテナ、チューナ、外部入力、スイッチ、ＨＤＤ／ＤＶＤ）を起動させる。
【０００９】
そしてコマンド入出力Ｉ／Ｆより取得した視聴装置の番組の選局／音声／字幕情報を元に、制御部はチューナを制御し視聴装置と同番組を選局、同音声／同字幕を選択しデータ処理部にて番組の映像／音声を生成し録画を開始する。
【発明の効果】
【００１０】
本発明の視聴装置と録画装置との接続における録画制御方法、その方法を用いた装置、及びシステムは、視聴装置で視聴している番組を録画しようとした場合、ユーザは録画装置の電源を立上げ、選局釦で番組を視聴装置に合わせる必要がなく、また録画装置の音声／字幕設定を行う必要もなく、ユーザは録画装置の状態を意識せず、録画釦一つで録画することが可能であり、録画装置の音声／字幕設定を行わなかった場合においても録画が失敗するのを防ぐことができる利点がある。
【発明を実施するための最良の形態】
【００１１】
以下に、本発明の実施形態を、図面を参照して説明する。
【００１２】
（実施の形態）
図１は、本発明装置の実施の形態における、視聴装置と録画装置の構成図である。１０１は視聴装置、１０２はリモコンコードもしくはその視聴装置に存在する釦等により動作信号を受信するユーザ操作部、１０３はユーザ操作部で受信したリモコンコードを制御する制御部、１０４はコマンドデータを伝送するコマンド入出力Ｉ／Ｆ、１０５は映像／音声／メニューデータ等を受信するデータ入力Ｉ／Ｆ、１０６は入力された映像／音声／メニューデータ等を処理するデータ処理部、１０７はアンテナ、１０８はアンテナから受信した放送信号を制御するチューナ、１０９は外部からの映像／音声／メニューデータ等を入力する外部入力、１１０はアンテナからの入力信号や外部入力からの入力信号を切り換えるスイッチ、１１１は映像／音声／メニューデータを表示する画面表示部である。
【００１３】
また、２０１は録画装置であり、２０２はリモコンコードもしくはその録画装置に存在する釦等により動作信号を受信するユーザ操作部、２０３はユーザ操作部で受信したリモコンコードを制御する制御部、２０４はコマンドデータを伝送するコマンド入出力Ｉ／Ｆ、２０５は映像／音声／メニューデータ等を送信するデータ出力Ｉ／Ｆ、２０６は出力したい映像／音声／メニューデータ等を処理するデコーダ処理部、２０７はアンテナ、２０８はアンテナから受信した放送信号を制御するチューナ、２０９は外部からの映像／音声／メニューデータ等を入力する外部入力、２１０はアンテナからの入力信号や外部入力からの入力信号を切り換えるスイッチ、２１１はアンテナもしくは外部入力から受信した映像／音声／データ等を記録するＨＤＤ／ＤＶＤである。
【００１４】
また、表示装置と録画装置とを接続している３０１はコマンドデータを送信するコマンド用ケーブルであり、３０２は映像／音声／メニューデータを送信するデータ用ケーブルを表している。
【００１５】
また、図２は、本発明の視聴装置と録画装置の接続における選局及び録画制御方法を表すフローチャートである。図１と図２を用いて、本発明の動作について説明する。まず１０１の視聴装置について説明する。ユーザは視聴装置でアンテナから受信する放送信号の番組を視聴している状態において視聴装置のリモコンもしくは本体の釦を用いて、選局切り換えキー（チャンネル  上／下、数字キーなど）により視聴している番組を切り換えることが出来る。そしてユーザ操作部１０２はそのキーの指示を受信し、受信したキーの内容を制御部１０３に連絡する。
今回の場合、視聴装置は視聴装置のアンテナ１０７からチューナ１０８経由で受信した信号を用いる為、スイッチ１１０の入力はチューナ１０８に切替わる制御を行い、データ処理部１０６は視聴装置側で視聴している番組の映像／音声を構成し、画面表示部１１１で表示を行う。
【００１６】
そして制御部１０３は、ユーザ操作部１０２から受信した録画コマンドを判断し、録画コマンドが押下されたタイミングで録画装置がスタンバイ状態の場合は電源起動コマンド、そして録画コマンド及び番組の選局／音声／字幕情報のコマンドデータもコマンド入出力Ｉ／Ｆへ送信する。
【００１７】
ここでのスタンバイ状態とは録画装置の録画機能に関係する全ての機能（データ処理部２０６、アンテナ２０７、チューナ２０８、外部入力２０９、スイッチ２１０、ＨＤＤ／ＤＶＤ２１１）そしてユーザからの見た目も電源的にＯＦＦである、もしくは一部の機能は起動しているがユーザからの見た目が電源的にＯＦＦである状態のことを指す。
【００１８】
次に２０１の録画装置について説明する。録画装置は電源がスタンバイ状態の場合、コマンド入出力Ｉ／Ｆ２０４よりコマンドデータを受信した場合、制御部２０３はそれが電源起動コマンドと判断した場合、録画装置は録画機能に関係する全ての機能（データ処理部２０６、アンテナ２０７、チューナ２０８、外部入力２０９、スイッチ２１０、ＨＤＤ／ＤＶＤ２１１）を起動させる。そしてコマンド入出力Ｉ／Ｆ２０４より取得した視聴装置の番組の選局／音声／字幕情報を元に、制御部２０３はチューナ２０８を制御し視聴装置と同番組を選局、同音声、同字幕を選択しデータ処理部２０６にて番組の映像／音声を生成し録画を開始する。
【００１９】
また、図２のフォローチャートでは、まず視聴装置にて何か入力コードを受信したかどうかの判断を行い（４０１）、それが録画コードの場合（４０２）、接続された録画装置側とのコマンドデータが転送可能な状態であれば（４０３）、電源起動、選局／音声／字幕、録画に関するコマンドデータを録画装置へ送信する（４０４）。次に、録画装置にて視聴装置より受信したコードが電源起動、選局／音声／字幕、録画コードの場合（５０１）、録画装置の状態を確認し、その録画装置がスタンバイ状態かつその受信したコードが電源起動コードであれば（５０２）電源起動処理により録画装置の状態をスタンバイより電源ＯＮ状態にする（５０３）。そしてその受信したコードが選局／音声／字幕コードの場合（５０４）、録画装置側の選局処理を行いその選局が完了した後に音声／字幕を設定し（５０５）、視聴装置と同番組を選局、同音声、同字幕を選択している状態にする。またその受信したコードが録画コードの場合（５０６）、録画処理（５０７）にて録画を実行する制御となる。
【産業上の利用可能性】
【００２０】
本発明にかかる選局／音声／字幕制御方法、その方法を用いた装置、及びシステムは、選局制御が必要となる視聴装置、前記視聴装置に接続された録画装置、及び前記視聴装置と前記録画装置が接続されたシステムにおいて広く適用できる。
【図面の簡単な説明】
【００２１】
【図１】本発明の実施の形態における番組制御及び録画制御を備えた視聴装置と録画装置の構成図
【図２】本発明の実施の形態における録画制御方法を表すフローチャート
【符号の説明】
【００２２】
１０１    視聴装置
１０２、２０２    ユーザ操作部
１０３、２０３    制御部
１０４、２０４    コマンド入出力Ｉ／Ｆ
１０５    データ入力Ｉ／Ｆ
１０６、２０６    データ処理部
１０７、２０７    アンテナ
１０８、２０８    チューナ
１０９、２０９    外部入力
１１０、２１０    スイッチ
１１１    画面表示部
２０１    録画装置
２０５    データ出力Ｉ／Ｆ
２１１    ＨＤＤ／ＤＶＤ
３０１    コマンド用ケーブル
３０２    データ用ケーブル
【図１】
0005157423.tif 000002
【図２】
0005157423.tif 000003